(57)【要約】【課題】生体部位（例えば、目の虹彩等）の画像を撮影する際に、装置に入射する外光の影響による誤認識を低減し、認識を高精度に行えるようにする。【解決手段】生体認識装置（例えば、虹彩認証装置）３０は、個人の目に光を照射する光源４３を有する照明部６２と、光を照射された目の画像を撮影するカメラ４２を有する撮影部６１と、取得された目の画像から抽出した虹彩データを、予め登録した虹彩データと照合することによって個人を認識する虹彩認識部６６とを備えている。そして、カメラ４２の周囲を囲って筐体部４１に装着される装着具である筒状部材５０を設け、この筒状部材５０が装着された状態で、撮影を行い、筒状部材５０の開口部５２から取得された画像内の明るさに基づいて、明るさ調整部６４により、目画像の明るさを調整し、前記撮影を行う。【選択図】図１
2009205576.tif 000002
【特許請求の範囲】
【請求項１】
筐体部と、
所定距離離れた第１の開口部及び第２の開口部を有し、前記筐体部側に固定状態で設けられ、又は撮影時において前記筐体部側から突出し且つ非撮影時において前記筐体部側へ後退するように前記筐体部側に設けられ、外部から前記第２の開口部を通して前記第１の開口部へ入射する光を遮蔽する筒状部材と、
前記筐体部側において前記筒状部材の近傍に設けられ、前記撮影時において前記筒状部材の第２の開口部の近傍に位置する個体の生体部位に対して光を照射する照明手段と、
前記筐体部側において前記第１の開口部内に設けられ、前記撮影時において前記光が照射された生体部位を前記筒状部材を通して撮影して生体部位画像を取得する撮影手段と、
前記筐体部に設けられ、前記第１の開口部から取得された画像内の明るさに基づいて、前記生体部位画像の明るさを調整して前記撮影手段の撮影を行わせる明るさ調整制御手段と、
前記筐体部に設けられ、前記明るさが調整されて取得された前記生体部位画像から生体データを抽出してこの抽出された生体データと予め登録された生体データとを照合して前記個体を認識する認識手段と、
を有することを特徴とする生体認証装置。
【請求項２】
筐体部と、
所定距離離れた第１の開口部及び第２の開口部を有し、前記第１の開口部が前記筐体部側に装着され、撮影時において外部から前記第２の開口部を通して前記第１の開口部へ入射する光を遮蔽する筒状部材と、
前記筐体部側において前記筒状部材の近傍に設けられ、前記撮影時において前記筒状部材の第２の開口部の近傍に位置する個人の目に対して光を照射する照明手段と、
前記筐体部側において前記第１の開口部内に設けられ、前記光が照射された目を前記筒状部材を通して撮影して目画像を取得する撮影手段と、
前記筐体部に設けられ、前記撮影時において前記第１の開口部から取得された画像内の明るさに基づいて、前記目画像の明るさを調整して前記撮影手段の撮影を行わせる明るさ調整制御手段と、
前記筐体部に設けられ、前記明るさが調整されて取得された前記目画像から虹彩データを抽出してこの抽出された虹彩データと予め登録された虹彩データとを照合して前記個人を認識する認識手段と、
を有することを特徴とする虹彩認証装置。
【請求項３】
筐体部と、
所定距離離れた第１の開口部及び第２の開口部を有し、撮影時には前記第２の開口部が前記筐体部側から突出し、非撮影時には前記第２の開口部が後退して前記第１及び第２の開口部が前記筐体部側に収納されるように、突出後退自在に前記筐体部側に設けられ、外部から前記第２の開口部を通して前記第１の開口部へ入射する光を遮蔽する筒状部材と、
前記筐体部側において前記筒状部材の近傍に設けられ、前記撮影時において前記第２の開口部の近傍に位置する個人の目に対して光を照射する照明手段と、
前記筐体部側において前記第１の開口部内に設けられ、前記光が照射された目を前記筒状部材を通して撮影して目画像を取得する撮影手段と、
前記筐体部に設けられ、前記撮影時において前記第１の開口部から取得された画像内の明るさに基づいて、前記目画像の明るさを調整して前記撮影手段の撮影を行わせる明るさ調整制御手段と、
前記筐体部に設けられ、前記明るさが調整されて取得された前記目画像から虹彩データを抽出してこの抽出された虹彩データと予め登録された虹彩データとを照合して前記個人を認識する認識手段と、
を有することを特徴とする虹彩認証装置。
【請求項４】
前記筒状部材の第２の開口部側には、前記照明手段から前記目へ照射する前記光を遮断しない角度で、傾斜部が形成されていることを特徴とする請求項２又は３記載の虹彩認証装置。
【請求項５】
前記明るさの調整は、オートゲイン機構により行うことを特徴とする請求項２乃至４のいずれか１項に記載の虹彩認証装置。
【請求項６】
個人の目に光を照射する照明手段と、
前記光が照射された目を撮影して目画像を取得する撮影手段と、
前記取得された目画像から虹彩データを抽出してこの抽出された虹彩データと予め登録された虹彩データとを照合して前記個人を認識する認識手段とが、
筐体部に設けられた虹彩認証装置に装着する装着具であって、
前記撮影手段の周囲を囲うことが可能な内径と、前記目を前記撮影手段に所定の間隔を以って位置付け可能な長さと、を有する筒状の形状をなし、
前記撮影時において前記筐体部に装着され、前記撮影手段へ入射する外光を遮蔽することを特徴とする装着具。
【発明の詳細な説明】
【技術分野】
【０００１】
本発明は、個体（例えば、人や動物等）の生体的特徴（例えば、顔、目の虹彩等）を利用して個体を認識する生体認証装置、虹彩認証装置、及びそれに用いられる装着具であって、個体の生体部位（例えば、人の目等）の画像を撮影する際に、装置に入射する外光の影響による誤認識を低減し、認識を高精度に行えるようにした認証制御に関するものである。
【背景技術】
【０００２】
従来、例えば、人の目の虹彩部分の画像を用いた据え置き型虹彩認証装置が下記の特許文献１等に開示され、更に、携帯型虹彩認証装置が下記の特許文献２〜４等に開示されている。
【０００３】
【特許文献１】特許第３３０７９３６号公報
【特許文献２】特開２００５−２９２５４２号公報
【特許文献３】特開２００５−３２７１６１号公報
【特許文献４】特開２００８−１５８８４号公報
【０００４】
これらの特許文献１〜４等に記載されているように、従来の虹彩認証装置は、使用者の生体における目の画像（即ち、目画像）をカメラで取得し、取得した目画像の中から虹彩部分を切り出して虹彩データを抽出し、予め登録された使用者の虹彩データと照合して一致した場合に、該使用者を本人であると認証する。
【０００５】
図６（ａ）、（ｂ）は、特許文献２〜４等に記載された従来の携帯型虹彩認証装置を示す概略の構成図であり、同図（ａ）は携帯型虹彩認証装置の外観図、及び、同図（ｂ）は同図（ａ）中の虹彩認証装置本体の構成図である。
【０００６】
携帯型虹彩認証装置１０は、携帯端末装置である携帯電話機に搭載された装置であり、筐体部１１を有し、この筐体部１１の内部に、虹彩認証装置本体２０が設けられている。筐体部１１の外部の正面側には、撮影部２１のカメラ２１ａと、照明部２２の照明用光源２２ａと、表示部１２等とが設けられている。照明用光源２２ａは、カメラ２１ａにより目を撮影し、この目の画像を取得する際、発光させて光を目に照射するものであり、その発光に同期してカメラ２１ａのレンズ、シャッタ等を動作させ目を撮影するようになっている。
【０００７】
筐体部１１内の虹彩認証装置本体２０は、カメラ２１ａを有する撮影部２１、照明用光源２２ａを有する照明部２２、撮影部２１で取得された目画像をキャプチャ（捕獲）する画像キャプチャ部２３、虹彩認識部２４、及び虹彩認識辞書２５等により構成されている。
【０００８】
この携帯型虹彩認証装置１０において、認証処理は以下のように行われる。
撮影部２１により、カメラ２１ａのレンズ、シャッタ等を動作させて、カメラ２１ａの前方に位置する被写体である使用者の目を撮影する。照明部２２は、撮影部２１により目を撮影するタイミングに同期して、照明用光源２２ａを発光させて使用者の顔を照射する。撮影部２１での撮影動作中の目画像は、一定期間、画像キャプチャ部２３でキャプチャされて記憶され、この記憶された画像データが虹彩認識部２４へ送られる。虹彩認識部２４では、画像キャプチャ部２３でキャプチャされて記憶された目画像から虹彩データを抽出し、虹彩認識辞書２５に予め格納され登録されている虹彩データと比較（照合）することで、使用者が本人かどうかを認識する。
【発明の開示】
【発明が解決しようとする課題】
【０００９】
しかしながら、従来の虹彩認証装置では、次のような課題があった。
使用者が携帯型虹彩認証装置１０を使用する状況によっては、例えば、室内の蛍光灯の直下や夏場の屋外等の外光の強い場所になることがある。このような状況では、極端に光量の多い光がカメラ２１ａに入射することがある。
【００１０】
従来の携帯型虹彩認証装置１０では、照明部２２の照明用光源２２ａの光と比べ、極度に光量の多い外光がカメラ２１ａを通して撮影部２１に入射した場合、光源２２ａの光の光量がこれに負けてしまい、取得した目画像のほぼ全域に光の映り込みが生じ、撮影された目画像の輝度が全体として高い画像となる。
【００１１】
これを防止するために、従来の携帯型虹彩認証装置１０において、撮影された目画像の明るさを自動的に検出し、明るさの調整を行うオートゲインの機能が設けられた装置も存在する。しかし、オートゲインの機能では、軽度の外光の映り込みを低減することはできるが、前述したような強度の外光の映り込みはオートゲインを作動させた場合であっても、効果的に除去することは困難であった。
【００１２】
図７（ａ）、（ｂ）は、従来の携帯型虹彩認証装置１０における目画像内に強い外光が写り込んでいる場合でのオートゲイン調整の調整前及び調整後の動作を示す模式図である。この図７には、目３０において黒目である虹彩３１の中心に瞳孔３２が描画された画像が示されている。
【００１３】
通常は、図７（ａ）に示すように、強い外光が入ると画像の全体が非常に明るくなる（即ち、画像の周辺部が外光により極度に明るくなる。）。
【００１４】
オートゲインの機能は、外光により明るくなっている周辺領域も含めた画像全体の明るさを判定し、これにより、画像全体を明るい方向へ調整するか、あるいは暗くする方向へ調整するかの判定を行う。そのため、図７（ａ）に示すように、強い外光が写り込んでいる場合では、全体的に暗く調整されるため、図７（ｂ）に示すように、虹彩３１が暗くなり模様が不明瞭な画像になる。オートゲインが適切に機能しなかった結果、目３０の画像は明瞭さを欠いたまま虹彩認識部２４へ送られて処理されるので、虹彩データが抽出できないか、あるいは抽出できても欠損を含むデータとなってしまい、照合処理の結果、誤認識又は認識不能となってしまっていた。このような問題は、据え置き型の虹彩認証装置や、他の生体認証装置についても生じる虞がある。
【００１５】
このように、オートゲインの調整は、画像中の目画像以外の領域の明るさも考慮して、明暗の調整を判定しているので、撮影された画像によっては、かえって目画像を劣化させてしまうことがあり、このような課題に対して効果的な解決手段が求められている。
【課題を解決するための手段】
【００１６】
本発明の生体認証装置は、筐体部と、筒状部材と、照明手段と、撮影手段と、明るさ調整制御手段と、認識手段とを有している。
【００１７】
ここで、前記筒状部材は、所定距離離れた第１の開口部及び第２の開口部を有し、前記筐体部側に固定状態で設けられ、又は撮影時において前記筐体部側から突出し且つ非撮影時において前記筐体部側へ後退するように前記筐体部側に設けられ、外部から前記第２の開口部を通して前記第１の開口部へ入射する光を遮蔽するものである。前記照明手段は、前記筐体部側において前記筒状部材の近傍に設けられ、前記撮影時において前記筒状部材の第２の開口部の近傍に位置する個体の生体部位に対して光を照射する機能を有している。前記撮影手段は、前記筐体部側において前記第１の開口部内に設けられ、前記撮影時において前記光が照射された生体部位を前記筒状部材を通して撮影して生体部位画像を取得する機能を有している。前記明るさ調整制御手段は、前記筐体部に設けられ、前記第１の開口部から取得された画像内の明るさに基づいて、前記生体部位画像の明るさを調整して前記撮影手段の撮影を行わせる機能を有している。更に、前記認識手段は、前記筐体部に設けられ、前記明るさが調整されて取得された前記生体部位画像から生体データを抽出してこの抽出された生体データと予め登録された生体データとを照合して前記個体を認識する機能を有している。
【００１８】
本発明の虹彩認証装置は、筐体部と、所定距離離れた第１の開口部及び第２の開口部を有し、前記第１の開口部が前記筐体部側に装着され、撮影時において外部から前記第２の開口部を通して前記第１の開口部へ入射する光を遮蔽する筒状部材と、前記筐体部側において前記筒状部材の近傍に設けられ、前記撮影時において前記筒状部材の第２の開口部の近傍に位置する個人の目に対して光を照射する照明手段と、前記筐体部側において前記第１の開口部内に設けられ、前記光が照射された目を前記筒状部材を通して撮影して目画像を取得する撮影手段と、前記筐体部に設けられ、前記撮影時において前記第１の開口部から取得された画像内の明るさに基づいて、前記目画像の明るさを調整して前記撮影手段の撮影を行わせる明るさ調整制御手段と、前記筐体部に設けられ、前記明るさが調整されて取得された前記目画像から虹彩データを抽出してこの抽出された虹彩データと予め登録された虹彩データとを照合して前記個人を認識する認識手段とを備えている。
【００１９】
本発明の他の虹彩認証装置は、筐体部と、所定距離離れた第１の開口部及び第２の開口部を有し、撮影時には前記第２の開口部が前記筐体部側から突出し、非撮影時には前記第２の開口部が後退して前記第１及び第２の開口部が前記筐体部側に収納されるように、突出後退自在に前記筐体部側に設けられ、外部から前記第２の開口部を通して前記第１の開口部へ入射する光を遮蔽する筒状部材と、前記筐体部側において前記筒状部材の近傍に設けられ、前記撮影時において前記第２の開口部の近傍に位置する個人の目に対して光を照射する照明手段と、前記筐体部側において前記第１の開口部内に設けられ、前記光が照射された目を前記筒状部材を通して撮影して目画像を取得する撮影手段と、前記筐体部に設けられ、前記撮影時において前記第１の開口部から取得された画像内の明るさに基づいて、前記目画像の明るさを調整して前記撮影手段の撮影を行わせる明るさ調整制御手段と、前記筐体部に設けられ、前記明るさが調整されて取得された前記目画像から虹彩データを抽出してこの抽出された虹彩データと予め登録された虹彩データとを照合して前記個人を認識する認識手段とを備えている。
【００２０】
本発明の装着具は、個人の目に光を照射する照明手段と、前記光が照射された目を撮影して目画像を取得する撮影手段と、前記取得された目画像から虹彩データを抽出してこの抽出された虹彩データと予め登録された虹彩データとを照合して前記個人を認識する認識手段とが、筐体部に設けられた虹彩認証装置に装着するものであって、前記撮影手段の周囲を囲うことが可能な内径と、前記目を前記撮影手段に所定の間隔を以って位置付け可能な長さと、を有する筒状の形状をなし、前記撮影時において前記筐体部に装着され、前記撮影手段へ入射する外光を遮蔽する構成になっている。
【発明の効果】
【００２１】
本発明によれば、撮影手段を包囲する筒状部材（即ち、装着具）を筐体部側に設けるようにしたので、周囲の外光が撮影手段に入射することが防止される。これにより、明るさ調整制御手段が、筒状部材の第１の開口部から取得された画像内の明るさを基にして動作するので、被写体の画像を良好に取得でき、認識精度が向上する。
【００２２】
例えば、突出後退自在の筒状部材を筐体部側に設け、撮影時にその筒状部材が筐体部側から突出する構造にした場合、着脱用の筒状部材を別に持ち歩く必要がなくなり、しかも、取り付けの煩雑な動作も不要となり、外光の影響を除去しつつスムースに被写体の画像を撮影することができる。又、筒状部材の開口部側に傾斜部を形成した場合には、筒状部材の最長の長さに関係なく、照明手段の位置を任意に設定することができ、装置の設計の自由度が増す。
【発明を実施するための最良の形態】
【００２３】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００２４】
（実施例１の構成）
図１（ａ）、（ｂ）は、本発明の実施例１を示す生体認証装置の１つである携帯型虹彩認証装置の概略の構成図であり、同図（ａ）は携帯型虹彩認証装置の外観図、及び、同図（ｂ）は同図（ａ）中の虹彩認証装置本体の構成図である。
【００２５】
図１（ａ）に示す携帯型虹彩認証装置４０は、携帯端末装置（例えば、携帯電話機）に搭載され、個体（例えば、人）の虹彩を認証する装置であり、筐体部４１を有している。筐体部４１の内部には、図１（ｂ）に示すような虹彩認証装置本体６０が設けられている。筐体部４１の例えば正面側には、カメラ４２と、このカメラ４２の近傍に配置された照明用光源４３と、液晶等の表示部４４と、図示しない撮影開始キー等を有する入力部４５等とが設けられている。筐体部４１におけるカメラ４２の周囲には、このカメラ４２を内包するように装着具である筒状部材５０が装着され、この筒状部材５０の外側に光源４３が配置されている。
【００２６】
筒状部材５０は、カメラ４２に入り込む外光を遮蔽するものであり、所定の長さＬだけ離れた第１の開口部５１及び第２の開口部５２を有し、この第１の開口部５１がカメラ４２の周囲に、螺子等により着脱自在に装着されている。所定の長さＬは、撮影時において第２の開口部５２近傍に位置する目をカメラ４２に対して所定の間隔を以て位置付け可能な距離である。
【００２７】
筐体部４１内に設けられた虹彩認証装置本体６０は、入力部４５に接続された撮影手段（例えば、撮影部）６１を有し、この撮影部６１に、照明手段（例えば、照明部）６２とキャプチャ手段（例えば、画像キャプチャ部）６３とが接続されている。撮影部６１は、レンズ、シャッタ、電荷結合素子（以下「ＣＣＤ」という。）等のイメージセンサ、絞り機構等を有するカメラ４２を備え、このカメラ４２を動作させ、カメラ４２の前方に位置する被写体である目を撮影してイメージセンサの撮像面にて目画像を取得する機能を有している。目は、例えば、筒状部材５０の第２の開口部５２から一定距離だけ離した状態で撮影される構成になっている。照明部６２は、照明用光源４３を有し、撮影部６１により目を撮影するタイミングに同期して、光源４３を発光させて光を目に照射する機能を有している。画像キャプチャ部６３は、メモリ等の記憶手段を有し、撮影部６１で取得された目画像をキャプチャして一定期間記憶手段に記憶するものである。
【００２８】
画像キャプチャ部６３には、明るさ調整部６４を介して撮影制御部６５が接続されると共に、認識手段（例えば、虹彩認識部）６６が接続され、この虹彩認識部６６に登録手段（例えば、虹彩認識辞書）６７が接続されている。明るさ調整部６４及び撮影制御部６５は、画像キャプチャ部６３によりキャプチャされて記憶された画像の明るさに基づいて、その画像中の目画像の明るさを調整して撮影部６１に撮影を行わせる明るさ調整制御手段としての機能を有している。その内、明るさ調整部６４は、画像キャプチャ部６３によりキャプチャされて記憶された目画像の全体から、撮影された目画像の明るさを自動的に検出して明るさ調整信号を撮影制御部６５へ出力するものであり、例えば、オートゲイン機構により構成されている。
【００２９】
オートゲイン機構は、例えば、特開平７−２８４００６号公報、特開２００５−３３４３４号公報等に記載された公知の種々の回路で構成できる。本実施例１のオートゲイン機構は、例えば、画像キャプチャ部６３によりキャプチャされて記憶された目画像の信号を増幅する自動利得制御回路（以下「ＡＧＣ回路」という。）と、このＡＧＣ回路の出力信号に対して明るさ調整（即ち、γ補正）等を行うカメラ信号処理回路と、ＡＧＣ回路のゲイン等を制御する露出制御回路等とにより構成されている。撮影制御部６５は、明るさ調整部６４から与えられる明るさ調整信号（例えば、露出制御回路の出力信号）に基づき、カメラ４２に設けられた入射光量を変化させるための絞り機構等を制御するものである。
【００３０】
画像キャプチャ部６３に接続された虹彩認識部６６は、画像キャプチャ部６１にキャプチャされて記憶された目画像から虹彩データを抽出し、この抽出された虹彩データと虹彩認識辞書６６に予め登録された虹彩データとを照合して、利用者が本人かどうかを認識する機能を有している。
【００３１】
このような虹彩認証機能に必要な各構成は、虹彩認証装置本体６０に組み込むソフトウェア、あるいは個別回路で構成されている。なお、筒状部材５０は、予め筐体部４１に固定した構造にしてもよい。
【００３２】
（実施例１の動作）
図２は、図１の筐体部４１に取り付けられた筒状部材５０の断面、筒状部材５０と使用者の目及び装置各部との関係を示す概略の図である。
【００３３】
筐体部４１に取り付けられたカメラ４２は、結像用のレンズ４２ａと、このレンズ４２ａで結像された像を撮像面で受光して電気信号に変換するイメージセンサ４２ｂと、図示しないシャッタ、絞り機構等とにより構成されている。レンズ４２ａの周囲には、このレンズ４２ａを内包するように筒状部材５０の第１の開口部５１が装着されている。破線で示されるカメラ４２の画角αは、カメラ４２で撮影される画像の範囲を角度で表したものであり、視野角とも言われ、イメージセンサ４２ｂの撮像面の寸法、及びレンズ４２ａの焦点距離等により決定される。目３０は、筒状部材５０の近傍に位置する光源４３からの光４３ａにより照射される。目３０には、黒目である虹彩３１の中心に瞳孔３２がある。
【００３４】
図３は、図２における目３０の位置付けの前後のキャプチャ画像の変化を示す模式図である。
【００３５】
これらの図２及び図３を参照しつつ、以下、本実施例１の携帯型虹彩認証装置４０の動作を説明する。
【００３６】
図２に示すように、筐体部４１に対して筒状部材５０が着脱自在の構造の場合、目３０の撮影に際し、使用者は、先ず、筒状部材５０を筐体部４１に螺着等により取り付ける。この場合、筒状部材５０における筒部の中心が、カメラ４２の光軸と同一の方向になるように取り付ける。そして、使用者は、筒状部材５０が装着された筐体部４１を手で把持し、虹彩３１の認証処理を行うために、筒状部材５０の第２の開口部５２に目を近づける。この際、目３０の位置は、筒状部材５０の第２の開口部５２に目３０を接触させずに、一定の距離だけ離した状態に位置付ける。使用者は、入力部４５の図示しない撮影開始キーを押下すると、筒状部材５０の外側に配置された照明部６２の光源４３が発光して、光４３ａが目３０に照射される。光源４３が発光するのと同時に、明るさ調整部６４によりオートゲインが起動される。この時、オートゲインの判定領域としては、画像キャプチャ部６３でキャプチャされた目画像の全体である。当該領域について撮影された目画像の明るさが、オートゲインにより自動的に検出される。
【００３７】
図３（ａ）には、使用者が目３０を開口部５２に位置付けていない時のキャプチャ画像のオートゲインが動作する前の状態が示されている。筒状部材５０は、カメラ４２の画角αの範囲を一部覆い隠すため、撮影された画像は図３（ａ）に示すように、周囲部分が暗くなり、中央付近のみが外光が入射して明るくなる。
【００３８】
図３（ａ）の状態に対し、使用者が目３０を筒状部材５０の開口部５２に近づけると、撮影された画像は図３（ｂ）のようになる。使用者の目３０と筒状部材５０の開口部５２との間の一定の間隙を介して、光源４３の光４３ａが目３０に当たっているので、図３（ｂ）の画像では、目３０が適度に明るくなっている。但し、この段階では光源４３の光４３ａが照射されたのみであり、明るさ調整部６４のオートゲインは動作していない。
【００３９】
明るさ調整部６４、撮影制御部６５及び撮影部６１により、図３（ｂ）の画像に対してオートゲインの明るさ調整処理が行われる。図３（ｃ）には、図３（ｂ）の画像に対して、オートゲインが動作して目３０の虹彩模様が明瞭になったところが示されている。
【００４０】
オートゲインの調整が完了した画像は、画像キャプチャ部６３から虹彩認識部６６へ送られ、この虹彩認識部６６により、送られてきた画像から虹彩データが抽出され、虹彩認識辞書６７に登録されている虹彩データと照合され、使用者が本人かどうかが認識される。
【００４１】
（実施例１の効果）
本実施例１によれば、筐体部４１に筒状部材５０を取り付けることで、カメラ４２に入り込む外光を遮る構造にしている。つまり、筒状部材５０は内部にカメラ４２を内包するように筐体部４１に取り付けられるので、カメラ４２に周囲の外光が入射するのが防止される。これにより、明るさ調整部６４におけるオートゲインの機能が、目画像の近傍の領域の明るさを基にして動作するので、目画像が良好に取得できる。このように、本実施例１では、明るさ調整部６４におけるオートゲインが適切に機能するので、目３０の虹彩模様が明瞭に取得され、認識が高精度に行われるようになる。
【実施例２】
【００４２】
（実施例２の構成）
図４（ａ）、（ｂ）は、本発明の実施例２を示す携帯型虹彩認証装置における筒状部材部分の概略の構成図であり、同図（ａ）は筒状部材の形状を示す図、及び、同図（ｂ）は筒状部材と目及び装置各部との関係を示す図である。この図４では、実施例１を示す図１〜図３中の要素と共通の要素には共通の符号が付されている。
【００４３】
実施例１では、筐体部４１に装着される筒状部材５０の長さＬ及び光源４３の位置関係によっては、光源４３の光４３ａが目３０に届かないことがある。そこで、この問題を解消するために、本実施例２では、実施例１の筒状部材５０とは形状の異なる筒状部材５０Ａを、筐体部４１に装着するようにしている。
【００４４】
本実施例２の筒状部材５０Ａは、実施例１と同様に、両端に第１の開口部５１及び第２の開口部５２を有しているが、実施例１とは異なり、図４の斜線部分に示されるように、第２の開口部５２側に、光源４３からの光４３ａを遮断しない角度で、斜めに切り落とした形状の傾斜部５３が設けられている。筒状部材５０Ａにおける筒長の最も短い部分の長さ（即ち、傾斜部５３の上端からレンズ４２ａまでの長さ）Ｌ１は、カメラ４２の画角αから求められた寸法であり、側面方向からの光源４３の光４３ａ以外の外光が入射しないような長さに設定されている。
【００４５】
このように、開口部５２の一部を切り欠いた斜線部５３を設けることにより、光源４３から目３０への光４３ａの通り道（光路）を確保することで、光源４３の光４３ａが十分目３０に当たるようにして、前記実施例１の問題を解消している。その他の構成は、実施例１と同様である。
【００４６】
（実施例２の動作）
図４（ｂ）において、目３０の撮影に際し、使用者は、先ず、筒状部材５０Ａを筐体部４１に装着する。筒状部材５０Ａを筐体部４１に装着する時には、傾斜部５３の傾斜方向が光源４３の設けられている方向に取り付ける。そして、使用者は、筒状部材５０Ａが装着された筐体部４１を手で把持し、虹彩３１の認証処理を行うために、筒状部材５０Ａの開口部５２に目３０を近づける。使用者は、入力部４５の図示しない撮影開始キーを押下すると、筒状部材５０Ａの外側に配置された光源４３が発光する。光源４３の光４３ａは、傾斜部５３に沿って、開口部５２の近傍に位置決めされた目３０に到達する。これにより、使用者の目３０に光４３ａが照射される。光源４３が発光するのと同時に、明るさ調整部６４及び撮影制御部６５によりオートゲインが起動される。これ以降は、実施例１と同様の動作が行われる。
【００４７】
（実施例２の効果）
本実施例２によれば、筒状部材５０Ａの開口部５２に傾斜部５３を設けたので、筒状部材５０Ａの最長の長さ（図２の長さＬに相当）に関係なく、光源４３の位置を任意に設定することができ、装置の設計の自由度が増す。
【実施例３】
【００４８】
（実施例３の構成）
図５（ａ）、（ｂ）は、本発明の実施例３を示す携帯型虹彩認証装置の概略の構成図であり、同図（ａ）は筒状部材部分の断面図、及び、同図（ｂ）は筐体部内に設けられる虹彩認証装置本体の構成図である。この図５では、実施例１を示す図１及び図２中の要素と共通の要素には共通の符号が付されている。
【００４９】
本実施例３では、実施例１の筒状部材５０又は実施例２の筒状部材５０Ａに代えて、図５（ａ）の破線で示すように、突出後退自在の筒状部材５０Ｂを筐体部４１に内蔵し、撮影時に入力部４５の図示しない撮影開始キーを押すと、図５（ａ）の実線で示すように、筒状部材５０Ｂが突出する構造になっている。
【００５０】
筐体部４１内に設けられる虹彩認証装置本体６０Ｂは、実施例１の虹彩認証装置本体６０において、入力部４５の図示しない撮影開始キーの押下を検出する検出部６８と、この検出部６８に接続された筒部駆動部６９とが追加されている。筒部駆動部６９は、検出部６８からの検出信号に基づき、撮影制御部６５及び筒状部材５０Ｂを制御して、筒状部材５０Ｂを筐体部４１の全面に突出する機能を有している。その他の構成は、実施例１と同様である。
【００５１】
（実施例３の動作）
先ず、使用者は筐体部４１を把持し、入力部４５の図示しない撮影開始ボタンを押下する。これを検出部６８が検出し、この検出信号を筒部駆動部６９へ送る。筒部駆動部６９の制御により、筐体部４１内に収納された筒状部材５０Ｂが自動で、筐体部４１の前面に突出する。筒部駆動部６９が筒状部材５０Ｂの駆動を開始するのと同時に、撮影制御部６５の制御信号を受けて撮影部６１のカメラ４２が起動し、撮影の準備が行われる。
【００５２】
使用者は、筐体部４１を把持し、筒状部材５０Ｂの開口部５２に自身の目３０を接近させる。後の処置は、実施例１又は２と同様に、明るさ調整部６４及び撮影制御部６５によるオートゲインが動作して目３０の画像が取得される。
【００５３】
（実施例３の効果）
本実施例３によれば、突出後退自在の筒状部材５０Ｂを筐体部４１に内蔵し、撮影時に入力部４５の図示しない撮影開始キーを押すと、筒状部材５０Ｂが筐体部４１の前面に突出する構造にしたので、着脱用の筒状部材５０，５０Ａを別に持ち歩く必要がなくなり、しかも、取り付けの煩雑な動作も不要となり、外光の影響を除去しつつスムースに目３０の画像を撮影することができる。
【００５４】
（変形例）
本発明は、上記実施例に限定されず、種々の利用形態や変形が可能である。この利用形態や変形例としては、例えば、次の（ａ）〜（ｃ）のようなものがある。
（ａ）  図１（ａ）の携帯端末型虹彩認証装置３０や、図２、図４及び図５（ａ）の筒状部材５０，５０Ａ，５０Ｂは、図示以外の他の形態の外観構造に変更したり、あるいは、図１（ｂ）及び図５（ｂ）の虹彩認証装置本体６０，６０Ｂを、携帯電話機以外の他のＰＤＡ（Personal  Digital  Assistant）等の携帯端末装置に搭載してもよい。又、図１（ｂ）及び図５（ｂ）の虹彩認証装置本体６０，６０Ｂは、精度の向上や用途の拡大等を図るために、図示以外の他の機能ブロックを追加する等してもよい。
（ｂ）  上記実施例では、携帯型虹彩認証装置４０について説明したが、本発明は、人の目の虹彩以外の顔等の他の生体部位の生体認証装置や、人以外の動物等の他の個体や生体部位に対する生体認証装置、あるいは、携帯端末型装置に限らず、据え置き型装置にも適用できる。
（ｃ）  例えば、本発明を据え置き型装置に適用する場合、虹彩認証装置本体６０，６０Ｂをコンピュータや専用装置等で構成し、このコンピュータや専用装置等における筐体部に、あるいはこの筐体部の近傍に、カメラ４２及び光源４３を設け、このカメラ４２に筒状部材５０，５０Ａ，５０Ｂを装着する構成にすれば、上記実施例とほぼ同様の作用効果を奏することができる。
【図面の簡単な説明】
【００５５】
【図１】本発明の実施例１を示す生体認証装置の１つである携帯型虹彩認証装置の概略の構成図である。
【図２】図１の筐体部４１に取り付けられた筒状部材の断面、筒状部材と使用者の目及び装置各部との関係を示す概略の図である。
【図３】図２における目の位置付けの前後のキャプチャ画像の変化を示す模式図である。
【図４】本発明の実施例２を示す携帯型虹彩認証装置における筒状部材部分の概略の構成図である。
【図５】本発明の実施例３を示す携帯型虹彩認証装置の概略の構成図である。
【図６】従来の携帯型虹彩認証装置を示す概略の構成図である。
【図７】従来の携帯型虹彩認証装置における目画像内に強い外光が写り込んでいる場合でのオートゲイン調整の調整前及び調整後の動作を示す模式図である。
【符号の説明】
【００５６】
４０      虹彩認証装置
４１      筐体部
４２      カメラ
４３      光源
５０，５０Ａ，５０Ｂ      筒状部材
５１，５２      開口部
５３      傾斜部
６０，６０Ｂ      虹彩認証装置本体
６１      撮影部
６２      照明部
６３      画像キャプチャ部
６４      明るさ調整部
６５      撮影制御部
６６      虹彩認識部
６７      虹彩認識辞書
６８      検出部
６９      筒部駆動部
【図１】
2009205576.tif 000003
【図２】
2009205576.tif 000004
【図４】
2009205576.tif 000005
【図５】
2009205576.tif 000006
【図６】
2009205576.tif 000007
【図３】
2009205576.tif 000008
【図７】
2009205576.tif 000009